(57)【特許請求の範囲】
【請求項１】
パズルストッカー（１０）と、
パズル押出し部（２０）と、
パズル搬送部（３０）と、
パズル印刷部（４０）と、
前記の各部の駆動を制御する制御部（６０）とを有し、
前記パズルストッカー（１０）には、未印刷状態の板状のジグソーパズル（９０）が、その厚さ方向に積み上げた状態で収納されており、
前記ジグソーパズル（９０）は、パズル台紙（９１）と、このパズル台紙（９１）の上に切断された状態で敷き詰められているパズルピース（９２）とを備え、これらパズル台紙（９１）およびパズルピース（９２）の表面は未印刷状態となっており、
前記パズル押出し部（２０）は、押し板（２１）と、この押し板（２１）を後退位置（２１Ａ）から第１押出し位置（２１Ｂ）を経由して第２押出し位置（２１Ｃ）に至る経路に沿って直線往復移動させる押し板移動機構（２２）とを備え、
前記パズル搬送部（３０）は、トレー（３１）と、このトレー（３１）を待機位置（３１Ａ）から前記パズル印刷部（４０）による印刷位置（４４）を経由する搬送経路に沿って直線往復移動させるトレー搬送機構（３２）とを備え、
前記パズル印刷部（４０）は前記制御部（６０）から供給されるパズル画像をジグソーパズル（９０）の未印刷状態の表面に印刷するインクジェットプリンタ（４１）を備えており、
前記押し板（２１）を前記後退位置（２１Ａ）から前記第１押出し位置（２１Ｂ）まで押し出すと、前記パズルストッカー（１０）に収納されている前記ジグソーパズル（９０）のうち、最も下に位置するジグソーパズル（９０）が積み上げ方向に直交する方向に押し出されて、前記待機位置（３１Ａ）にある前記トレー（３１）に引き渡されるようになっており、
未印刷状態の前記ジグソーパズル（９０）を乗せた前記トレー（３１）を前記待機位置（３１Ａ）から前記印刷位置（４４）を経由して搬送させながら前記インクジェットプリンタ（４１）により前記ジグソーパズル（９０）の表面にパズル画像が印刷されるようになっており、
印刷後の前記ジグソーパズル（９０Ａ）を乗せた前記トレー（３１）が前記待機位置（３１Ａ）に戻った状態において、前記押し板（２１）を前記第１押出し位置（２１Ｂ）から前記第２押出し位置（２１Ｃ）に押し出すと、前記押し板（２１）によって前記ジグソーパズル（９０Ａ）が押し出されて前記トレー（３１）から予め定めたパズル取り出し口（８５）に送り出されるようになっていることを特徴とするジグソーパズル販売機（１）。
【請求項２】
請求項１において、
印刷後の前記ジグソーパズル（９０Ａ）を収納する収納袋（５１）を供給する収納袋供給部（５０）を有し、
前記制御部（６０）は、印刷後の前記ジグソーパズル（９０Ａ）を前記パズル取り出し口（８５）に排出する動作に連動させて、前記収納袋供給部（５０）を駆動して、前記収納袋（５１）を予め定めた収納袋取り出し口（８６）に送り出させるようになっており、
前記収納袋供給部（５０）は、前記収納袋（５１）を積層状態で上下から挟んだ状態で収納している収納カセット（５２）と、この収納カセット（５２）から積層状態の前記収納袋（５１）を、その上側の収納袋（５１）から一枚ずつ分離して送り出す分離機構（５３）とを備えており、
前記分離機構（５３）は、前記収納カセット（５２）内の前記収納袋（５１）を上側から押し付けている分離ローラ（５４）と、この分離ローラ（５４）による送り出し方向の側において前記収納袋（５１）を上側から押し付けている板バネからなる送り出しガイド（５５）とを備えており、
前記分離ローラ（５４）は、その外周面が所定角度を張る円弧面（５４ａ）と、この円弧面の両端に繋がっている平面（５４ｂ）とによって規定されるＤ形断面形状のものであり、
前記分離ローラ（５４）を前記送り出し方向とは逆方向に回転させると、当該分離ローラ（５４）に接している一枚の前記収納袋（５１）が後方に引き戻されて前記送り出しガイド（５５）による押し付け位置（５５ａ）から後方側に外れ、
前記分離ローラ（５４）を前記送り出し方向に回転させると、前記送り出しガイド（５５）から後方側に外れた前記収納袋（５１）が当該送り出しガイド（５５）の表面に沿ってガイドされて前記収納カセット（５２）から前記収納袋取り出し口（８６）に送り出されることを特徴とするジグソーパズル販売機（１）。
【請求項３】
請求項２において、
装置ハウジング（２）と、
前記装置ハウジング（２）の前面開口を封鎖している開閉扉（７）と、
前記装置ハウジング（２）の内部に収納された収納位置から前記前面開口を介して前方に引き出し可能な引き出しユニット（８）とを有しており、
前記引き出しユニット（８）には、前記パズルストッカー（１０）、パズル押出し部（２０）、パズル搬送部（３０）、パズル印刷部（４０）、および前記収納袋供給部（５０）が搭載されていることを特徴とするジグソーパズル販売機（１）。
【請求項４】
請求項３において、
前記装置ハウジング（２）の前面には、前記前面開口の上側位置に操作面（５）および表示画面（７１）が配置されており、
前記操作面（５）には、ジグソーパズルの枚数を指定する枚数ボタンと、前記表示画面（７１）に表示される複数のパズル画像のうちの一つを選択する選択ボタンが配列されており、
前記制御部（６０）は、各部を駆動制御して、指定された枚数分のジグソーパズルに選択されたパズル画像を印刷して発行させることを特徴とするジグソーパズル販売機（１）。
【発明の詳細な説明】
【技術分野】
【０００１】
本発明は未印刷状態のジグソーパズルにインクジェットプリンタを用いて画像を印刷して販売するジグソーパズル販売機に関する。
【背景技術】
【０００２】
ジグソーパズルは、板状のパズル台紙の表面に、相互に切断された状態の多数のパズルピースが敷き詰められており、パズル台紙の外周枠部分の表面に印刷された画像部分および各パズルピースの表面に印刷された画像部分によって全体として一つの画像が形成されている。未印刷状態のジグソーパズル素材に画像を印刷してジグソーパズルを制作する方法としては、特許文献１に記載されているように、インクジェットプリンタを用いて画像を印刷する方法が知られている。
【先行技術文献】
【特許文献】
【０００３】
【特許文献１】特開平１０−１３７４４１号公報
【発明の概要】
【発明が解決しようとする課題】
【０００４】
ジグソーパズルは予め制作された状態で販売されており、購入者は各画像が印刷されているジグソーパズルから好みのものを選択して購入している。購入者が希望する任意の画像が印刷されたジグソーパズルをその場で制作して販売することができれば、購入者にとっては極めて便利である。
【０００５】
本発明の課題は、購入者が希望する画像が印刷されたジグソーパズルをその場で制作して販売することのできる簡易な構造のジグソーパズル販売機を提案することにある。
【課題を解決するための手段】
【０００６】
上記の課題を解決するために、本発明のジグソーパズル販売機は、
パズルストッカー（１０）と、
パズル押出し部（２０）と、
パズル搬送部（３０）と、
パズル印刷部（４０）と、
前記の各部の駆動を制御する制御部（６０）とを有し、
前記パズルストッカー（１０）には、未印刷状態の板状のジグソーパズル（９０）が、その厚さ方向に積み上げた状態で収納されており、
前記ジグソーパズル（９０）は、パズル台紙（９１）と、このパズル台紙（９１）の上に切断された状態で敷き詰められているパズルピース（９２）とを備え、これらパズル台紙（９１）およびパズルピース（９２）の表面は未印刷状態となっており、
前記パズル押出し部（２０）は、押し板（２１）と、この押し板（２１）を後退位置（２１Ａ）から第１押出し位置（２１Ｂ）を経由して第２押出し位置（２１Ｃ）に至る経路に沿って直線往復移動させる押し板移動機構（２２）とを備え、
前記パズル搬送部（３０）は、トレー（３１）と、このトレー（３１）を待機位置（３１Ａ）から前記パズル印刷部（４０）による印刷位置（４４）を経由する搬送経路に沿って直線往復移動させるトレー搬送機構（３２）とを備え、
前記パズル印刷部（４０）は前記制御部（６０）から供給されるパズル画像をジグソーパズル（９０）の未印刷状態の表面に印刷するインクジェットプリンタ（４１）を備えており、
前記押し板（２１）を前記後退位置（２１Ａ）から前記第１押出し位置（２１Ｂ）まで押し出すと、前記パズルストッカー（１０）に収納されている前記ジグソーパズル（９０）のうち、最も下に位置するジグソーパズル（９０）が積み上げ方向に直交する方向に押し出されて、前記待機位置（３１Ａ）にある前記トレー（３１）に引き渡されるようになっており、
未印刷状態の前記ジグソーパズル（９０）を乗せた前記トレー（３１）を前記待機位置（３１Ａ）から前記印刷位置（４４）を経由して搬送させながら前記インクジェットプリンタ（４１）により前記ジグソーパズル（９０）の表面にパズル画像が印刷されるようになっており、
印刷後の前記ジグソーパズル（９０Ａ）を乗せた前記トレー（３１）が前記待機位置（３１Ａ）に戻った状態において、前記押し板（２１）を前記第１押出し位置（２１Ｂ）から前記第２押出し位置（２１Ｃ）に押し出すと、前記押し板（２１）によって前記ジグソーパズル（９０Ａ）が押し出されて前記トレー（３１）から予め定めたパズル取り出し口（８５）に送り出されるようになっていることを特徴としている。
【０００７】
本発明のジグソーパズル販売機では、未印刷状態のジグソーパズルにインクジェットプリンタによって画像を印刷している。制御部からインクジェットプリンタに供給される印刷画像を購入者の希望する画像とすることにより、好みの画像が印刷されたジグソーパズルを購入することができる。また、押し板およびトレーを直線送りすることにより、ジグソーパズルをパズルストッカーから送り出す動作、送り出されたジグソーパズルを印刷位置を経由して搬送して印刷を行わせる動作、および印刷後（制作後）のジグソーパズルをパズル取り出し口に送り出す動作を行うことができる。よって、簡単な機構によりジグソーパズル販売機を廉価に構成できる。
【０００８】
ここで、本発明のジグソーパズル販売機は、
印刷後の前記ジグソーパズル（９０Ａ）を収納する収納袋（５１）を供給する収納袋供給部（５０）を有し、
前記制御部（６０）は、印刷後の前記ジグソーパズル（９０Ａ）を前記パズル取り出し口（８５）に排出する動作に連動させて、前記収納袋供給部（５０）を駆動して、前記収納袋（５１）を予め定めた収納袋取り出し口（８６）に送り出させるようになっており、
前記収納袋供給部（５０）は、前記収納袋（５１）を積層状態で上下から挟んだ状態で収納している収納カセット（５２）と、この収納カセット（５２）から積層状態の前記収納袋（５１）を、その上側の収納袋（５１）から一枚ずつ分離して送り出す分離機構（５３）とを備えており、
前記分離機構（５３）は、前記収納カセット（５２）内の前記収納袋（５１）を上側から押し付けている分離ローラ（５４）と、この分離ローラ（５４）による送り出し方向の側において前記収納袋（５１）を上側から押し付けている板バネからなる送り出しガイド（５５）とを備えており、
前記分離ローラ（５４）は、その外周面が所定角度を張る円弧面（５４ａ）と、この円弧面の両端に繋がっている平面（５４ｂ）とによって規定されるＤ形断面形状のものであり、
前記分離ローラ（５４）を前記送り出し方向とは逆方向に回転させると、当該分離ローラ（５４）に接している一枚の前記収納袋（５１）が後方に引き戻されて前記送り出しガイド（５５）による押し付け位置（５５ａ）から後方側に外れ、
前記分離ローラ（５４）を前記送り出し方向に回転させると、前記送り出しガイド（５５）から後方側に外れた前記収納袋（５１）が当該送り出しガイド（５５）の表面に沿ってガイドされて前記収納カセット（５２）から前記収納袋取り出し口（８６）に送り出されることを特徴としている。
【０００９】
このように、制作後のジグソーパズルを発行する際に、これを入れる収納袋も併せて発行すれば、購入者は収納袋にジグソーパズルを入れて持ち運ぶことができ、パズルピースの紛失などを未然に防止できるので、購入者にとっては極めて便利である。また、収納袋供給部は、収納袋を一枚ずつ分離する分離機構を備えているので、ビニール袋などのように重なった状態で搬送されやすい素材からなる収納袋であっても確実に一枚ずつ発行することができる。
【００１０】
次に、本発明のジグソーパズル販売機は、
装置ハウジング（２）と、
前記装置ハウジング（２）の前面開口を封鎖している開閉扉（７）と、
前記装置ハウジング（２）の内部に収納された収納位置から前記前面開口を介して前方に引き出し可能な引き出しユニット（８）とを有しており、
前記引き出しユニット（８）には、前記パズルストッカー（１０）、パズル押出し部（２０）、パズル搬送部（３０）、パズル印刷部（４０）、および前記収納袋供給部（５０）が搭載されていることを特徴としている。
【００１１】
前面開口から引き出しユニットを引き出すことにより、そこに搭載されている各駆動部分を装置ハウジングの外に引き出すことができる。したがって、各駆動部分の保守点検作業などが容易になり、パズルストッカーへのジグソーパズルの補充作業、インクジェットプリンタのインク補充作業あるいはインクカセットの交換作業を簡単に行うことができる。
【００１２】
次に、本発明のジグソーパズル販売機は、
前記装置ハウジング（２）の前面には、前記前面開口の上側位置に操作面（５）および表示画面（７１）が配置されており、
前記操作面（５）には、ジグソーパズルの枚数を指定する枚数ボタンと、前記表示画面（７１）に表示される複数のパズル画像のうちの一つを選択する選択ボタンが配列されており、
前記制御部（６０）は、各部を駆動制御して、指定枚数分のジグソーパズルに選択されたパズル画像を印刷して発行させることを特徴としている。
【００１３】
このように、操作面を介して、発行枚数の指定、およびパズル画像の指定を行うことができるようにしておけば、希望するパズル画像が印刷されたジグソーパズルを希望枚数分購入することができ、便利である。
【発明の効果】
【００１４】
本発明のジグソーパズル販売機では、未印刷状態のジグソーパズルにインクジェットプリンタによって画像を印刷している。制御部からインクジェットプリンタに供給される印刷画像を購入者の希望する画像とすることにより、好みの画像が印刷されたジグソーパズルを購入することができる。また、押し板およびトレーを直線送りすることにより、ジグソーパズルをパズルストッカーから送り出す動作、送り出されたジグソーパズルを印刷位置を経由して搬送して印刷を行わせる動作、および印刷後（制作後）のジグソーパズルをパズル取り出し口に送り出す動作を行うことができる。よって、簡単な機構によりジグソーパズル販売機を廉価に構成できる。
【図面の簡単な説明】
【００１５】
【図１】（ａ）は本発明の実施の形態に係るジグソーパズル販売機を示す平面図であり、（ｂ）はその正面図であり、（ｃ）はその左側面図であり、（ｄ）はその右側面図であり、引き出しユニットを引き出した状態で示してある。
【図２】図１のジグソーパズル販売機の内部に収納されている未印刷状態のジグソーパズルを示す説明図である。
【図３】（ａ）は図１のジグソーパズル販売機の主要部分を示す説明図であり、（ｂ）は各部の動作を示す説明図である。
【図４】ジグソーパズルをインクジェットプリンタの印刷位置を経由して搬送するトレーを示す説明図である。
【図５】（ａ）は収納袋供給部の平面構成を示す説明図、（ｂ）はその側面構成を示す説明図、（ｃ）はその分離機構による分離動作を示す説明図、（ｄ）はその分離機構による送り出し動作を示す説明図である。
【発明を実施するための形態】
【００１６】
以下に、図面を参照して、本発明を適用したジグソーパズル販売機の実施の形態を説明する。
【００１７】
図１（ａ）は本実施の形態に係るジグソーパズル販売機を示す平面図であり、図１（ｂ）はその正面図であり、図１（ｃ）はその左側面図であり、図１（ｄ）はその右側面図であり、引き出しユニットを引き出した状態で示してある。ジグソーパズル販売機１は、未印刷状態のジグソーパズルを収納しておき、購入者によって購入代金が投入され、印刷画像が選択されると、選択された印刷画像をジグソーパズルの表面に印刷し、印刷後のジグソーパズルを払い出す。また、ジグソーパズルが払い出される直前に、ジグソーパズル包装用のビニール袋（収納袋）も払い出される。購入客は、ジグソーパズルをビニール袋に収納して持ち運ぶことができる。
【００１８】
ジグソーパズル販売機１の装置ハウジング２は、キャスター付の底板３と、この底板３によって下端開口が封鎖されている上方に長い矩形筒状の胴部４と、胴部４の水平な前側天面部分に形成された操作面５と、操作面５の後端か斜め上方に延びている表示面６を備えている。胴部４の前面は、その全面が開閉扉７によって規定されており、開閉扉７は図１（ａ）に示すように、右側の縁部を中心として閉じ状態から９０度以上の開き角度で開いた開き位置７Ａまでの間を旋回可能である。開閉扉７を開くと、胴部４の内部に収納されている引き出しユニット８を、図１（ｄ）に示すように、胴部４の前面開口から手前側に引き出すことが可能となっている。
【００１９】
引き出しユニット８には、パズルストッカー１０、パズル押出し部２０、パズル搬送部３０、パズル印刷部４０、および収納袋供給部５０が搭載されている。また、装置ハウジング２の胴部４の内部には、これらの各部を駆動制御するための制御部として機能するパーソナルコンピュータ６０と、その入力装置としてのキーボード６１およびマウス６２が搭載されており、胴部４の背面には冷却用の排気ファン６３が取り付けらえている。
【００２０】
表示面６には装置ハウジング２に内蔵の液晶表示装置７０の表示画面７１が露出しており、ここには、操作手順、印刷画像などが表示されるようになっている。操作面５には、図１（ａ）に示すように、右選択ボタン７２、左選択ボタン７３と決定ボタン７４が配列されている。表示画面７１上に表示されている複数の印刷画像を右選択ボタン７２、左選択ボタン７３を操作することによって選択可能となっている。決定ボタン７４を押すと、印刷画像の選択が確定し、この印刷画像が印刷されたジグソーパズルが制作される。また、表示面６には赤外線受信部７５が配置されており、ここを介して外部との間で赤外線通信を行うことが可能である。
【００２１】
次に、表示面６における赤外線受信部６ａの上側の部位には装置ハウジング２に内蔵されているカードリーダー８０のカード挿入口８１が配置されている。ここにプリペイドカードを挿入してジグソーパズルの購入代金の支払いを行うことが可能となっている。また、胴部４の前面開口４ａを封鎖している開閉扉７の裏面側にはコイン処理装置８２が配置さており、開閉扉７には、その前側表面にコイン投入口８３が形成され、裏面には投入されたコインをコイン処理装置８２に導くシュート８４が取り付けられている。このコイン投入口８３から硬貨を投入してジグソーパズルの購入代金を支払うことができる。勿論、紙幣識別機を取り付けて紙幣によりジグソーパズルを購入できるようにすることも可能である。また、開閉扉７の下端部の左側にはパズル取り出し口８５が形成されており、その上側には収納袋取り出し口８６が形成されている。
【００２２】
図２はジグソーパズル販売機１の内部に収納されている未印刷状態のジグソーパズルを示す説明図である。この図に示すように、各ジグソーパズル９０は、パズル台紙９１と、このパズル台紙９１の上に切断された状態で敷き詰められている多数のパズルピース９２とを備えている。これらパズル台紙９１および各パズルピース９２の表面は未印刷状態となっている。ジグソーパズル販売機１は、画像を印刷することにより制作されたジグソーパズル９０Ａを販売し、同時に、図２（ｂ）に示す収納袋５１を発行する。
【００２３】
図３（ａ）は、パズルストッカー１０、パズル押出し部２０、パズル搬送部３０、パズル印刷部４０および収納袋供給部５０の配置関係を示す説明図であり、図３（ｂ）は各部の動きを示す説明図である。これらの図を主に参照して説明すると、パズルストッカー１０は、一方の側面が開口している矩形筒１１を備えており、この内部に、未印刷状態のジグソーパズル９０が、その厚さ方向に積み上げた状態で収納されている。矩形筒１１の底面の装置前後の面には、１枚のジグソーパズル９０のみが通過可能な幅のスリットが形成されている。
【００２４】
パズルストッカー１０の装置後側に配置されているパズル押出し部２０は、装置前後方向に長い矩形の押し板２１と、この押し板２１を装置前後方向に直線往復移動させる押し板移動機構、本例では、ボールねじ・ボールナットからなる直動機構２２とを備えている。押し板２１は、直動機構２２によって、後退位置２１Ａから第１押出し位置２１Ｂを経由して第２押出し位置２１Ｃに至る経路に沿って装置前後方向に直線往復移動するようになっている。押し板２１は、後退位置２１Ａにおいてはパズルストッカー１０の矩形筒１１の後側に位置し、第１押出し位置においては、その先端面が矩形筒１１の前側スリットから僅か突出する。第２押出し位置は、押し板２１を少なくともジグソーパズル９０の装置前後方向の長さ分だけ前方に送り出した位置である。
【００２５】
パズル搬送部３０は、トレー３１と、このトレー３１を待機位置３１Ａからパズル印刷部４０による印刷位置を経由する装置幅方向に延びる搬送経路に沿って直線往復移動させるトレー搬送機構３２とを備えている。トレー３１は押し板２１と同一高さ位置において水平に配置されており、待機位置３１Ａは、押し板２１の第１押出し位置２１Ｂと同一位置である。
【００２６】
パズル印刷部４０はパーソナルコンピュータ６０から供給されるパズル画像をジグソーパズル９０の未印刷状態の表面に印刷するインクジェットプリンタ４１と、そのインクジェットヘッド（図示せず）にインクを供給するインクカートリッジ４２を装着するためのカートリッジ装着部４３（図１参照）とを備えている。インクジェットプリンタ４１のインクジェットヘッド４４による印刷位置は、トレー搬送機構３２によるトレー３１の搬送経路上に位置している。
【００２７】
したがって、パズル押出し部２０の押し板２１を後退位置２１Ａから第１押出し位置２１Ｂまで押し出すと、パズルストッカー１０の矩形筒１１収納されているジグソーパズル９０のうち、最も下に位置する１枚のジグソーパズル９０が積み上げ方向に直交する前方に押し出されて、待機位置３１Ａにあるトレー３１に引き渡される。ジグソーパズル９０を乗せたトレー３１を待機位置３１Ａからパズル印刷部４０の印刷位置を経由して搬送させながらインクジェットプリンタ４１によりジグソーパズル９０の表面にパズル画像が印刷されて、印刷済のジグソーパズル９０Ａが制作される。次に、印刷後のジグソーパズル９０Ａを乗せたトレー３１が待機位置３１Ａに戻った状態において、押し板２１を第１押出し位置２１Ｂから前方の第２押出し位置２１Ｃに押し出すと、押し板２１によってジグソーパズル９０Ａがトレー３１から前方に位置している排出シュート８７に落下する。ここに落下したジグソーパズル９０Ａは、開閉扉７に設けられているパズル取り出し口８５から取り出すことができる。
【００２８】
図４はトレー３１を示す説明図である。押し板２１によりトレー３１にジグソーパズル９０が押し出されるとき、トレー３１上には図示のように、左右の縁に沿って前後方向に延びる一対の板バネ３３が内向き状態に設置されている。押し板２１によって押し出されたジグソーパズル９０の左右の縁部分は、トレー３１に押し出されると、左右の板バネ３３によって両側から押し付けられた状態になる。したがって、トレー３１を印刷位置を経由する搬送経路に沿って搬送しながら印刷する際に、ジグソーパズル９０が振動して印刷画像に乱れが生ずることを防止できる。また、トレー３１における装置前後方向の縁部分には吸水綿３４が貼り付けられており、ジグソーパズル９０に縁なし印刷を行った場合に、ジグソーパズル表面から外れた位置に吐出されるインク液滴が吸水綿３４に吸収されるので、他の部分がインクで汚れることを回避できる。
【００２９】
次に、図５（ａ）は収納袋供給部５０を示す平面構成図であり、図５（ｂ）はその側面構成図である。収納袋供給部５０は、パズルストッカー１０の前側の第２押出し位置２１Ｃ（待機位置３１Ａ）の上方に配置されている。収納袋供給部５０は、収納袋５１を積層状態で上下から挟んだ状態で収納している収納カセット５２と、この収納カセット５２から積層状態の収納袋を、その上側の収納袋５１から一枚ずつ分離して送り出す分離機構５３とを備えている。収納カセット５２は底板５２ａと、この上に積層されている収納袋５１を上側から押さえつけている押さえ板５２ｂと、底板５２ａを下側から押し上げているバネ部材５２ｃとを備えている。
【００３０】
分離機構５３は、収納カセット５２内の収納袋を上側から押し付けている分離ローラ５４と、この分離ローラ５４による送り出し方向（装置前方）の側において収納袋５１を上側から押し付けている板バネからなる送り出しガイド５５とを備えている。分離ローラ５４は、その外周面が所定角度を張る円弧面５４ａと、この円弧面５４ａの両端に繋がっている平面５４ｂとによって規定されるＤ形断面形状のものである。また、この外周面はメッシュ状のゴムで覆われており、その摩擦係数を高めてある。
【００３１】
図５（ｃ）に示すように、分離ローラ５４を送り出し方向とは逆方向に回転させると、当該分離ローラ５４に接している一枚の収納袋５１が後方に引き戻されて送り出しガイド５５による押し付け位置５５ａから後方側に外れる。また、この逆送りによって、収納袋５１が下側の収納袋５１から浮き上がって上方に湾曲して分離される。
【００３２】
次に、分離ローラ５４を送り出し方向に回転させると、図５（ｄ）に示すように、送り出しガイド５５から後方側に外れた収納袋５１の先端５１ａが当該送り出しガイド５５の表面に沿ってガイドされて収納カセット５２の前端から前方の開閉扉に形成した袋取り出し口に送り出される。分離ローラ５４は必要回転した後に、その平面５４ｂが収納袋５１に押し付けられた図５（ｂ）に示す状態で止まる。
【００３３】
なお、本例のジグソーパズル販売機１にはコイン処理装置およびカードリーダーが搭載されており、自動でジグソーパズルの販売を行うことができる。有人販売においては、販売担当者が手動でジグソーパズル販売機１を操作して印刷済のジグソーパズルを販売することができる。
【００３４】
また、パズル画像は、メモリーカードを挿入してパーソナルコンピュータのメモリに読み込むことができる。また、赤外線通信によりパズル画像を読み込むことができる。さらに、予め版権物をメモリに記憶保持しておくことも可能である。また、装置にカメラを付けることにより、撮影画像を取り込んでパズル画像とすることもできる。オンラインで画像データベースから画像の配信を受けることも可能である。その他、各種の方法で画像を取得することが可能である。さらに、ジグソーパズルの枚数を指定する枚数ボタンを操作面に配置しておき、希望する枚数分のジグソーパズルを発行させるようにすることもできる。
【符号の説明】
【００３５】
１    ジグソーパズル販売機
２    装置ハウジング
３    底板
４    胴部
５    操作面
６    表示面
７    開閉扉
７Ａ  開き位置
８    引き出しユニット
１０  パズルストッカー
１１  矩形筒
２０  パズル押出し部
２１  押し板
２２  直動機構
２１Ａ  後退位置
２１Ｂ  第１押出し位置
２１Ｃ  第２押出し位置
３０  パズル搬送部
３１  トレー
３１Ａ  待機位置
３２  トレー搬送機構
３３  板バネ
３４  吸水綿
４０  パズル印刷部
４１  インクジェットプリンタ
４２  インクカートリッジ
４３  カートリッジ装着部
４４  インクジェットヘッド
５０  収納袋供給部
５１  収納袋
５１ａ  先端
５２  収納カセット
５２ａ  底板
５２ｂ  押さえ板
５２ｃ  バネ部材
５３  分離機構
５４  分離ローラ
５４ａ  円弧面
５４ｂ  平面
５５  送り出しガイド
５５ａ  押し付け位置
６０  パーソナルコンピュータ
６１  キーボード
６２  マウス
６３  排気ファン
７０  液晶表示装置
７１  表示画面
７２  右選択ボタン
７３  左選択ボタン
７４  決定ボタン
７５  赤外線受信部
８０  カードリーダー
８１  カード挿入口
８２  コイン処理装置
８３  コイン投入口
８４  シュート
８５  パズル取り出し口
８６  収納袋取り出し口
８７  排出シュート
９０  ジグソーパズル
９１  パズル台紙
９２  パズルピース
【図１】
0005271323.tif 000002
【図２】
0005271323.tif 000003
【図３】
0005271323.tif 000004
【図４】
0005271323.tif 000005
【図５】
0005271323.tif 000006